(57)【要約】【課題】２種類の異なる液体を１つの容器に同時に収容することができる入浴車構造を提供する。【解決手段】入浴車構造は、入浴車体１及び汚水収容袋２を備える。入浴車体１は、清水収容空間１１を有するとともに、少なくとも１つの清水排水口１２及び汚水排水口１３が底部に設けられ、清水排水口１２は、清水収容空間１１と連通する。汚水収容袋２は、汚水収容空間２１を有するとともに、汚水収容空間２１と連通するポケット部２２及び袋底部２３を有する。袋底部２３には、外方に延びた出水管口２３１が延設される。出水管口２３１の外側表面上には、被覆体２３１１が設けられる。出水管口２３１は、入浴車体１の汚水排水口１３内に固定され、被覆体２３１１を介して汚水排水口１３の内側面に密着されて水漏れを防ぐ。入浴車体１の清水収容空間１１には、清水が収容され、清水排水口１２を介して排出される。【選択図】図１Ａ
0003217107.tif 000002
【実用新案登録請求の範囲】
【請求項１】
入浴車体及び汚水収容袋を備えた入浴車構造であって、
前記入浴車体は、清水収容空間を有するとともに、少なくとも１つの清水排水口及び汚水排水口が底部に設けられ、前記清水排水口は、前記清水収容空間と連通し、
前記汚水収容袋は、汚水収容空間を有するとともに、前記汚水収容空間と連通するポケット部及び袋底部を有し、
前記袋底部には、外方に延びた出水管口が延設され、前記出水管口の外側表面上には、被覆体が設けられ、前記出水管口は、前記入浴車体の前記汚水排水口内に固定され、前記被覆体を介して前記汚水排水口の内側面に密着されて水漏れを防ぎ、
前記入浴車体の前記清水収容空間には、清水が収容され、前記清水排水口を介して排出され、
前記汚水収容袋の前記汚水収容空間内には、汚水が収容され、前記汚水排水口から排出され、
前記入浴車体内に２種類の異なる液体を同時に収容し得ることを特徴とする、
入浴車構造。
【請求項２】
前記入浴車体の外表面上には、少なくとも１つの固定機構が設けられ、前記固定機構上には、前記汚水収容袋の前記ポケット部が位置決めされることを特徴とする請求項１に記載の入浴車構造。
【考案の詳細な説明】
【技術分野】
【０００１】
本考案は、入浴車構造に関し、特に、２種類の異なる液体を１つの容器に同時に収容することができる入浴車構造に関する。
【背景技術】
【０００２】
長期間ベッドに横たわる病人は、ベッドに横たわって動かない時間が長くなり、病人の看護が十分に行われない場合、合併症が発生する虞があった。また、長期間ベッドに横たわっている病人にとっては、階段の上り下り以外に、入浴も困難であった。また、一部の病人は完全麻痺であったため、必ず抱きかかえなければならず、病人の体重が重い場合、病人の家族又は看護もしくは介護を行う者は抱きかかえることが容易でなく、必ず２人以上で抱きかかえる必要があった。
そのため、家族又は看護もしくは介護を行う者は、入浴の代わりに清拭しかしないことが一般的であった。しかし清拭を行うだけでは十分清潔にすることができなかったため、細菌が増殖し易く、病人の皮膚に病変が発生したり、傷口が感染したりすることがあった。
【０００３】
そのため、上述した問題点を改善するために、少なくとも１つの可撓性袋体が設置された入浴車を提供し、入浴する際、車内に元々収容されていた清水を徐々に抜き取って病人又は老人の入浴に使用した後、入浴で発生した汚水を適宜取り込むシステムにより可撓性袋体に注水して貯蔵し、２種類の異なる液体を同一の入浴車に同時に貯蔵すると、老人又は病人を入浴させる際、２つの異なる容器により清水及び汚水をそれぞれ処理する必要がなくなり、僅か１つの容器のみで清水及び使用済みの汚水の貯蔵を行うことができる。
【考案の概要】
【考案が解決しようとする課題】
【０００４】
本考案の主な目的は、２種類の異なる液体を１つの容器に同時に収容することができる入浴車構造を提供することにある。
【課題を解決するための手段】
【０００５】
上記課題を解決するために、本考案の第１の形態によれば、入浴車体及び汚水収容袋を備えた入浴車構造であって、前記入浴車体は、清水収容空間を有するとともに、少なくとも１つの清水排水口及び汚水排水口が底部に設けられ、前記清水排水口は、前記清水収容空間と連通し、前記汚水収容袋は、汚水収容空間を有するとともに、前記汚水収容空間と連通するポケット部及び袋底部を有し、前記袋底部には、外方に延びた出水管口が延設され、前記出水管口の外側表面上には、被覆体が設けられ、前記出水管口は、前記入浴車体の前記汚水排水口内に固定され、前記被覆体を介して前記汚水排水口の内側面に密着されて水漏れを防ぎ、前記入浴車体の前記清水収容空間には、清水が収容され、前記清水排水口を介して排出され、前記汚水収容袋の前記汚水収容空間内には、汚水が収容され、前記汚水排水口から排出され、前記入浴車体内に２種類の異なる液体を同時に収容し得ることを特徴とする入浴車構造が提供される。
【０００６】
前記入浴車体の外表面上には、少なくとも１つの固定機構が設けられ、前記固定機構上には、前記汚水収容袋の前記ポケット部が位置決めされることが好ましい。
【考案の効果】
【０００７】
本考案の入浴車構造は、２種類の異なる液体を１つの容器に同時に収容することができる。
【図面の簡単な説明】
【０００８】
【図１Ａ】本考案の一実施形態に係る入浴車構造を示す分解断面図である。
【図１Ｂ】本考案の一実施形態に係る入浴車構造を示す組立断面図である。
【図２】本考案の一実施形態に係る入浴車構造を示す頂面結合図である。
【図３Ａ】本考案の一実施形態に係る入浴車構造の使用状態の説明図である。
【図３Ｂ】本考案の一実施形態に係る入浴車構造の使用状態の説明図である。
【図３Ｃ】本考案の一実施形態に係る入浴車構造の使用状態の説明図である。
【図３Ｄ】本考案の一実施形態に係る入浴車構造の使用状態の説明図である。
【図３Ｅ】本考案の一実施形態に係る入浴車構造の使用状態の説明図である。
【考案を実施するための形態】
【０００９】
本考案の他の技術内容、特徴及び効果について、以下、図面を参照しながら好適な実施例の詳細な説明で明らかにする。
【００１０】
図１Ａ及び図１Ｂを参照する。図１Ａは、本考案の一実施形態に係る入浴車構造を示す分解断面図である。図１Ｂは、本考案の一実施形態に係る入浴車構造を示す組立断面図である。
図１及び図１Ｂに示すように、本考案の一実施形態に係る入浴車構造は、少なくとも入浴車体１及び汚水収容袋２から構成されてなる。入浴車体１は、清水収容空間１１を有する。入浴車体１の底部には、少なくとも１つの清水排水口１２及び汚水排水口１３が形成されている。清水排水口１２は、清水収容空間１１と連通する。清水排水口１２及び汚水排水口１３は、使用する前に外部蓋体１２１，１３１（又は外部の栓又は外部の管路）を使用して閉止又は接続する。
【００１１】
汚水収容袋２内には、汚水収容空間２１が設けられる。汚水収容袋２は、汚水収容空間２１と連通するポケット部２２及び袋底部２３を有する。
袋底部２３には、外方に延びた出水管口２３１が延設される。出水管口２３１の外側表面には、被覆体２３１１が形成される。出水管口２３１は、入浴車体１の汚水排水口１３内に挿入固定され、被覆体２３１１を介して汚水排水口１３の内側面に密着されてその中に挿入固定され、水を閉止して漏れることを防ぐ。そのため、清水収容空間１１内の液体が汚水排水口１３から流出したり、汚水収容袋２内の汚水と混じったりすることを防ぐことができる。
【００１２】
図２を参照する。
図２に示すように、入浴車体１の外表面上には、少なくとも１つの固定機構１４が設けられる。汚水収容袋２のポケット部２２上には、固定口２２１が形成される。固定口２２１は、固定機構１４上に嵌合され、汚水収容袋２が入浴車体１と結合される。
【００１３】
汚水収容袋２が入浴車体１内に固定され、図３Ａに示すように、清水収容空間１１内に清水１１１が注入された後（清水排水口１２上の外部蓋体１２１又は外部管路により、注入された清水１１１が流出してしまうことを防ぐことができる）、図３Ｂに示すように、清水排水口１２を閉止する外部蓋体１２１、又は、清水排水口１２に接続された外部管路を分離させる。そのため、清水排水口１２と連結された管体を用いて入浴する際、入浴で発生した汚水２１１が汚水収容空間２１内に流入する（汚水排水口１３上の外部蓋体１３１は、注入された汚水が排出されることを防ぐことができる）。
【００１４】
図３Ｃを参照する。
図３Ｃに示すように、清水１１１を使用するに伴い、汚水収容袋２内に溜まる汚水２１１の量が次第に増える。そのため、入浴が終了した後、汚水排水口１３を閉止する外部蓋体１３１を分離させるか、図３Ｄに示すように、汚水排水口１３に管体を接続して汚水収容袋２内に溜まった汚水２１１を排出させるが、最終的に汚水収容袋２のポケット部２２を引っ張り上げると、汚水収容空間２１底部の汚水２１１を汚水排水口１３からより容易に流出させることができる。
【００１５】
上述したことから分かるように、本考案の入浴車構造は、従来技術と比べ、以下（１）及び（２）の長所を有する。
（１）可撓性袋体を入浴車内に設置して完全に隔離することができるため、２種類の異なる液体を同一の入浴車内に同時に貯えるとともに、２つの異なる排水口を介してそれぞれ異なる液体を排出することができるため、後続の排水及び洗浄を容易に行うことができる。
（２）老人又は病人を入浴させる者は、清水及び汚水を処理するためにそれぞれ異なる２つの容器を準備する必要が無く、１つの容器に清水及び使用済み汚水を同時に貯えることができる。
【００１６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１  入浴車体
２  汚水収容袋
１１  清水収容空間
１２  清水排水口
１３  汚水排水口
１４  固定機構
２１  汚水収容空間
２２  ポケット部
２３  袋底部
１１１  清水
１２１  外部蓋体
１３１  外部蓋体
２１１  汚水
２２１  固定口
２３１  出水管口
２３１１  被覆体
【図１Ａ】
0003217107.tif 000003
【図１Ｂ】
0003217107.tif 000004
【図２】
0003217107.tif 000005
【図３Ａ】
0003217107.tif 000006
【図３Ｂ】
0003217107.tif 000007
【図３Ｃ】
0003217107.tif 000008
【図３Ｄ】
0003217107.tif 000009
【図３Ｅ】
0003217107.tif 000010